(57)【要約】【課題】フレームカーブに対応可能な処方レンズの製造方法を提供する。【解決手段】レンズ処方のデータおよび処方レンズの配置に用いるメガネフレームのデータを取得するステップａ）と、前記レンズ処方のデータに基づいて処方レンズ上の視覚区域に位置するレンズの最大厚さを計算するステップｂ）と、算出された前記最大厚さ、前記レンズ処方のデータおよび前記メガネフレームのデータに基づいてレンズ２０１を選ぶステップｃ）と、選び出されたレンズ２０１を加工することによって視覚区域２１１を囲む過渡区域２１３および過渡区域２１３を囲む縁部２１５を有する処方レンズを製造し、かつ縁部２１５の厚さを視覚区域２１１に位置するレンズの最大厚さより薄化させるステップｄ）と、を含む。前記レンズ処方のデータは、レンズの度数、視覚区域および球面のフロントベースカーブを含み、前記メガネフレームのデータは、フレームカーブを含む。【選択図】図３
2010271702.tif 000002
【特許請求の範囲】
【請求項１】
レンズ処方のデータおよび処方レンズの配置に用いるメガネフレームのデータを取得するステップａ）と、
前記レンズ処方のデータに基づいて処方レンズ上の視覚区域に位置するレンズの最大厚さを計算するステップｂ）と、
算出された前記視覚区域に位置するレンズの最大厚さ、前記レンズ処方のデータおよび前記メガネフレームのデータに基づいてレンズを選ぶステップｃ）と、
選び出された前記レンズを加工することによって前記視覚区域を囲む過渡区域および当該過渡区域を囲む縁部を有する処方レンズを製造し、かつ縁部の厚さを前記視覚区域に位置するレンズの最大厚さより薄化させるステップｄ）と、
を含み、
前記レンズ処方のデータは、レンズの度数、視覚区域および球面のフロントベースカーブを含み、
前記メガネフレームのデータは、フレームカーブを含むことを特徴とする処方レンズの製造方法。
【請求項２】
前記処方レンズは、幾何学的中心および前記処方レンズ上の前記視覚区域中心に対応する光学中心を有することを特徴とする請求項１に記載の処方レンズの製造方法。
【請求項３】
前記光学中心と前記幾何学的中心とは重なることを特徴とする請求項２に記載の処方レンズの製造方法。
【請求項４】
前記光学中心は、前記幾何学的中心からはずれることを特徴とする請求項２に記載の処方レンズの製造方法。
【請求項５】
前記処方レンズは、単焦点レンズであることを特徴とする請求項２に記載の処方レンズの製造方法。
【請求項６】
前記処方レンズは、多焦点レンズであり、当該多焦点レンズは漸進式レンズまたは双焦点レンズであることを特徴とする請求項２に記載の処方レンズの製造方法。
【請求項７】
前記処方レンズは、凸レンズであることを特徴とする請求項２に記載の処方レンズの製造方法。
【請求項８】
前記処方レンズは、凹レンズであることを特徴とする請求項２に記載の処方レンズの製造方法。
【請求項９】
選び出されたレンズは、既製品レンズであることを特徴とする請求項１に記載の処方レンズの製造方法。
【請求項１０】
前記既製品レンズの縁部に射出、鋳造および切削加工を行なうことによってレンズの製造および取付を進め、かつレンズの縁部の厚さを一定にし、視覚区域に位置するレンズの最大厚さより薄化させることを特徴とする請求項９に記載の処方レンズの製造方法。
【請求項１１】
選び出されたレンズは半製品レンズであることを特徴とする請求項１に記載の処方レンズの製造方法。
【請求項１２】
前記半製品レンズの所定区域を切削し、前記視覚区域を生成し、かつ前記半製品レンズの縁部を切削することによってレンズの縁部の厚さを一定にし、そして前記視覚区域に位置するレンズの最大厚さより薄化させることを特徴とする請求項１１に記載の処方レンズの製造方法。
【請求項１３】
前記フレームカーブの特徴は、前記メガネフレームの角度および斜度にあることを特徴とする請求項１に記載の処方レンズの製造方法。
【請求項１４】
前記処方レンズの球面の前記フロントベースカーブは、前記メガネフレームの前記フレームカーブに対応することを特徴とする請求項１に記載の処方レンズの製造方法。
【請求項１５】
前記処方レンズは、ガラスまたはプラスチックから構成されることを特徴とする請求項１に記載の処方レンズの製造方法。
【請求項１６】
請求項１に記載の製造方法に基づいて製造されることを特徴とする処方レンズ。
【請求項１７】
球面状前表面と、
後表面と、
前記球面状前表面と前記後表面との間に形成された透視体とを備え、
前記透視体は、視覚区域と、当該視覚区域を囲む過渡区域と、当該過渡区域を囲む縁部とを有し、
前記視覚区域は、患者のレンズ処方箋に基づいて適切なレンズの度数を提供することを特徴とする処方レンズ。
【請求項１８】
前記縁部は、厚さが一定にされ、かつ前記視覚区域に位置するレンズの最大厚さより小さいことを特徴とする請求項１７に記載の処方レンズ。
【請求項１９】
前記透視体は、幾何学的中心および前記視覚区域中心に対応する光学中心を有することを特徴とする請求項１７に記載の処方レンズ。
【請求項２０】
前記光学中心と前記幾何学的中心とは重なることを特徴とする請求項１９に記載の処方レンズ。
【請求項２１】
前記光学中心は前記幾何学的中心からはずれることを特徴とする請求項１９に記載の処方レンズ。
【請求項２２】
前記球面状前表面は、メガネフレームのフレームカーブに対応するように配置されることを特徴とする請求項１７に記載の処方レンズ。
【請求項２３】
前記透視体上の前記視覚区域に位置する前記後表面は、前記視覚区域に位置する前記透視体を単焦点レンズに相当させるように配置されることを特徴とする請求項２２に記載の処方レンズ。
【請求項２４】
前記透視体上の前記視覚区域に位置する前記後表面は、前記視覚区域に位置する前記透視体を多焦点レンズに相当させるように配置され、
前記多焦点レンズは漸進式レンズまたは双焦点レンズであることを特徴とする請求項２２に記載の処方レンズ。
【請求項２５】
前記透視体上の前記視覚区域に位置する前記後表面は、前記視覚区域に位置する前記透視体を凸レンズに相当させるように配置されることを特徴とする請求項２２に記載の処方レンズ。
【請求項２６】
前記透視体上の前記視覚区域に位置する前記後表面は、前記視覚区域に位置する前記透視体を凹レンズに相当させるように配置されることを特徴とする請求項２２に記載の処方レンズ。
【請求項２７】
前記処方レンズの材料は、ガラスまたはプラスチックであることを特徴とする請求項１７に記載の処方レンズ。
【請求項２８】
前記処方レンズは、前記材料を背面の型に注入するか、前記背面の型にかけることによって構成されることを特徴とする請求項２７に記載の処方レンズ。
【発明の詳細な説明】
【技術分野】
【０００１】
本発明は、レンズに関し、詳しくは処方レンズおよびその製造方法に関するものである。
【背景技術】
【０００２】
近眼、遠視、乱視または老眼の矯正に用いるメガネレンズ、サングラスまたは視野中の照射光、風および着用物の表面部分を遮蔽する弧状防護メガネのレンズは、患者の処方箋に記載された指示と一致する特定の光学的性質を有する。
【０００３】
これらのレンズは、通常表面にメガネフレームの曲線に合わせる前曲面を有するよう規定される。図９（ａ）（ｂ）に示すように、表面に前曲面９１０を有する凹レンズ９００において、縁部９２０の厚さは凹レンズ９００上の別の部位の厚さより大きい。凹レンズのフロントベースカーブ(front base curve)が大きければ大きいほど、凹レンズの縁部が厚くなる。例えば、球面度数が−４．００の近眼処方レンズの場合、フロントベースカーブが２．００であれば、裏のベースカーブが６．００である。フロントベースカーブが４．００であれば、裏のベースカーブが８．００である。かつフロントベースカーブが４．００のレンズの縁部の厚さはフロントベースカーブが２．００のレンズの縁部の厚さより大きい。通常近眼が比較的ひどい患者の処方は、縁部が非常に厚いレンズを指定するため、近眼患者は、ベースカーブが比較的平坦なメガネフレームを使用することによって縁部が厚過ぎるレンズに対応する。
縁部が厚過ぎるレンズを使用すると、広角視野をぼやけさせ、美観を損なうだけでなくレンズの重さを増加させるという欠点がある。
【０００４】
多くのサングラスはフレームのベースカーブが６または８であるのに対し、従来の処方レンズのベースカーブは２から４の間であるため、従来の処方レンズはサングラスのフレームに適用できない。例えば、−４．００の凹レンズを使用する場合、メガネフレームのベースカーブが６．００（レンズのフロントベースカーブも約６．００）であれば、レンズの裏のベースカーブを１０に修正しなければならないため、レンズとメガネフレーム上の斜面とを互いに対応させることができないという問題を解決できるか否かを問わず、レンズの厚さを大いに増大させてしまう。
従って、上述した欠点を解決可能な技術が求められる。
【発明の概要】
【発明が解決しようとする課題】
【０００５】
本発明の主な目的は、処方レンズの製造方法を提供することである。
本発明のもう一つの目的は、上述した方法に基づいて製造した処方レンズを提供することである。
本発明のもう一つの目的は、処方レンズを提供することである。
【課題を解決するための手段】
【０００６】
本発明の一実施形態による処方レンズの製造方法は、レンズ処方のデータおよび処方レンズの配置に用いるメガネフレームのデータを取るステップを含む。レンズ処方のデータは、レンズの度数(lens power)、視覚区域(optical area)および球面のフロントベースカーブ(spherical front base curve)を含む。メガネフレームのデータはフレームカーブ(frame curve)を含む。
【０００７】
本発明による処方レンズの製造方法のステップは次のとおりである。まずレンズ処方のデータに基づいて処方レンズ上の視覚区域に位置するレンズの最大厚さを計算する。続いて、算出されたデータに基づいてレンズを選ぶ。続いて、レンズを加工することによって視覚区域を囲む過渡区域および過渡区域を囲む縁部を有する処方レンズを製造し、かつ縁部の厚さを視覚区域に位置するレンズの最大厚さより薄化させる。一実施形態において、フレームカーブの特徴はメガネフレームの角度および斜度にある。処方レンズの球面のフロントベースカーブはメガネフレームのフレームカーブに対応する。
【０００８】
処方レンズは、幾何学的中心および処方レンズ上の視覚区域中心に対応する光学中心を有する。一実施形態において、光学中心は幾何学的中心からはずれる。他の施形態において、光学中心と幾何学的中心とは重なる。
【０００９】
一実施形態において、処方レンズは単焦点レンズ(single vision lens)である。他の実施形態において、処方レンズは多焦点レンズ(multi-focal lens)である。かつ処方レンズは、遠視凸レンズ(plus lens)または近眼凹レンズ(minus lens)にすることが可能である。
【００１０】
一実施形態において、選び出されたレンズは既製品レンズである。既製品レンズの縁部に射出、鋳造および切削加工を行なうことによってレンズの製造および取付を進め、かつレンズの縁部の厚さを一定にし、そして視覚区域に位置するレンズの最大厚さより薄化させる。
【００１１】
他の実施形態において、選び出されたレンズは半製品レンズ（雛形）である。裏面のカーブによって半製品レンズの所定区域を切削し、視覚区域および過渡区域を生成し、かつ半製品レンズの縁部を切削することによってレンズの製造および取付を進め、かつレンズの縁部の厚さを一定にし、そして視覚区域に位置するレンズの最大厚さより薄化させる。
【００１２】
処方レンズは、ガラスまたはプラスチックから構成される。
一実施形態において、本発明による処方レンズは、球面状前表面と、後表面と、球面状前表面と後表面との間に形成された透視体とを備える。透視体の特徴は、視覚区域と、視覚区域を囲む過渡区域と、過渡区域を囲む縁部とを有する。視覚区域は、患者のレンズ処方箋に基づいて適切なレンズの度数を提供する。レンズの縁部は厚さが一定にされ、かつ視覚区域に位置するレンズの最大厚さより小さい。透視体は、幾何学的中心および視覚区域中心に対応する光学中心を有する。一実施形態において、光学中心と幾何学的中心とは重なる。他の実施形態において、光学中心は幾何学的中心からはずれる。
【００１３】
球面状前表面は、メガネフレームのフレームカーブに対応するように配置される。一実施形態において、透視体上の視覚区域に位置する後表面は、視覚区域に位置する透視体を単焦点レンズに相当させるように配置される。他の実施形態において、透視体上の視覚区域に位置する後表面は、視覚区域に位置する透視体を多焦点レンズに相当させるように配置される。一実施形態において、透視体上の視覚区域に位置する後表面は、視覚区域に位置する透視体を凹レンズに相当させるように配置される。他の実施形態において、透視体上の視覚区域に位置する後表面は、視覚区域に位置する透視体を凸レンズに相当させるように配置される。
【図面の簡単な説明】
【００１４】
【図１】処方パラメーターを有するメガネを示す模式図。
【図２】本発明の一実施形態による処方レンズを示す図であって、（ａ）は平面図、（ｂ）は側面図。
【図３】（ａ）はレンズの雛形を示す模式図、（ｂ）は本発明の一実施形態によってレンズの雛形から製造された処方レンズを示す模式図。
【図４】本発明の一実施形態による処方レンズを示す模式図。
【図５】本発明の他の実施形態による処方レンズを示す模式図。
【図６】本発明のさらに他の実施形態による処方レンズを示す模式図。
【図７】本発明のさらに他の実施形態による処方レンズを示す模式図。
【図８】（ａ）は本発明の一実施形態による処方凹レンズの包囲角度が２２度であることが判明した状態を示す図、（ｂ）は従来の凹レンズを示す平面図。
【図９】従来の処方レンズを示す図であって、（ａ）は平面図、（ｂ）は側面図。
【発明を実施するための形態】
【００１５】
以下の実施形態によって本発明を詳細に理解することが可能である。かつ本発明に掲示された新規性および精神範疇を逸脱しない限り変更または修正を行うことは本発明の主張範囲に属するべきである。
【００１６】
添付された図面は本発明の実施形態を明確にするものである。図面および明細書の記載によって本発明の原理を理解することが可能である。実施形態における同じ部品または類似した部品を表示するために、できる限りあらゆる図面に同じ符号を使用する。
【００１７】
技術領域に所属する人にとって多くの修正及び変更は容易に推知できるため、本発明は以下の実施形態のみによって具体的な説明を進める。図面に示すように、あらゆる図面中の同じ部品は同じ符号で表記される。明細書および特許請求の範囲において、「一つの‥」および「該‥」とは、前後文章中に明確に定義されない限り、複数という意味である。「‥において」とは、前後文章中に明確に定義されない限り、「‥の中に」および「‥の上に」という意味である。
【００１８】
本明細書で使用される用語は、技術領域、発明内容の範囲および特定の使用状況において一般的な意味を含む。発明に関わる記載および本発明を説明するための特定の用語について、専門業者は討論または明細書中の別の部分によって理解することが可能である。本明細書全体で使用される範例およびあらゆる用語の範例は、説明のための一例に過ぎず、本発明またはあらゆる範囲および意味を制限することはない。同様に本明細書により掲示された実施形態が本発明を制限することはない。
【００１９】
明細書中の「約」とは、一般的に一定の数値または範囲の２０％以内を指す。好ましいとは１０％以内を指す。最も好ましいとは５％以内を指す。明細書中の数量は明確に記載されない限り大体の数字である。「約」とは推知できるという意味である。
【００２０】
以下、本発明による処方レンズおよびその製造方法を図面に基づいて説明する。
（一実施形態）
図1に示すように、メガネ上に取り付けられたレンズ１１０、１２０の処方データ（例えば患者の処方箋に記載された指示）は、レンズ１１０、１２０のサイズ、瞳孔距離ＰＤ、レンズ間の距離ＤＢＬおよび光学中心の高さＯＣＨを含む。レンズ１１０、１２０のサイズは、高さＨおよび幅Ｗを含む。瞳孔距離ＰＤは眼球内瞳孔の中心１１４、１２４とレンズ１１０、１２０内縁との間の距離（通常ミリメートルで測量される）である。レンズ間の距離ＤＢＬは、二枚のレンズ１１０、１２０内縁間の距離である。レンズ１１０、１２０のサイズはメガネフレームに対応可能である。レンズ１１０、１２０のサイズによって適切なレンズの雛形を選び出し、レンズ１１０、１２０を製造することが可能である。レンズ１１０、１２０の幾何学的中心１１２、１２２はレンズ１１０、１２０のサイズによって定義される。レンズ１１０、１２０の光学中心１１４、１２４は、瞳孔距離ＰＤによって定義される。上述した処方データは、さらにレンズ１１０またはレンズ１２０のレンズの度数(lens power)、フロントベースカーブ(spherical front base curve)、球面度数(sphere power) 、円柱度数(cylinder power)、軸度(axis)、遠方視力(distance vision, ＤＶ)および近方視力(near vision, ＮＶ)を含む。
【００２１】
図２（ａ）は本発明の一実施形態による処方凹レンズ２００を示す平面図である。
図２（ｂ）は本発明の一実施形態による処方凹レンズ２００を示す側面図である。処方凹レンズ２００は、球面状前表面２１６と、後表面２１８と、球面状前表面２１６と後表面２１８との間に形成された透視体２１０とを備える。透視体２１０の特徴は、視覚区域２１１と、視覚区域２１１を囲む過渡区域２１３と、過渡区域２１３を囲む縁部２１５とを有する。視覚区域２１１は、患者のレンズ処方箋に基づいて適切なレンズの度数を提供する。縁部２１５は厚さＴｅが一定にされ、かつ視覚区域２１１に位置するレンズの最大厚さより小さい。透視体２１０は、幾何学的中心２１２および視覚区域２１１中心に対応する光学中心２１４を有する。光学中心２１４は幾何学的中心２１２からはずれる。図４に示すように、処方レンズ４００の光学中心４１４も幾何学的中心４１２からはずれる。図５から図７に示すように、処方レンズ５００、６００、７００の光学中心５１４と幾何学的中心５１２とは重なることが可能である。
【００２２】
球面状前表面２１６は、メガネフレームのフレームカーブに対応するように配置される。透視体２１０上の視覚区域２１１に位置する後表面２１８は、視覚区域２１１に位置する透視体２１０を単焦点レンズに相当させるように配置される。他の実施形態において、透視体上２１０の視覚区域２１１に位置する後表面２１８は、視覚区域２１１に位置する透視体２１０を多焦点レンズに相当させるように配置される。多焦点レンズは漸進式レンズまたは双焦点レンズである。
【００２３】
透視体２１０上の視覚区域２１１に位置する後表面２１８は、視覚区域２１１に位置する透視体２１０を凹レンズに相当させるように配置される。図６および図７に示すように、他の実施形態において、処方レンズ６００、７００は、透視体上の視覚区域に位置する後表面が、視覚区域に位置する透視体を凸レンズに相当させるように配置される。
【００２４】
処方レンズは、ガラスまたはプラスチック製などの透明材質から構成される。
処方レンズ２００の製造方法のステップは、次のとおりである。まずレンズ処方のデータおよび処方レンズの配置に用いるメガネフレームのデータを取る。レンズ処方のデータは、レンズの度数、視覚区域、球面のフロントベースカーブおよび上述した別のデータを含む。メガネフレームのデータはフレームカーブを含み、メガネフレームの角度および斜度がその特徴である。処方レンズの球面のフロントベースカーブはメガネフレームのフレームカーブに対応する。メガネフレームのフレーム角度を測量した結果、弧状覆面型サングラスのフレーム角度の最高は２４度に達し、メガネフレームの広角上の斜度は算出されることが判明した。あるいはレンズを計算することによってレンズフレームの広角上の斜度を推算することが可能である。また計算するには、光学中心の高さＯＣＨまたはメガネフレームの最底部の上方の距離が必要である。
【００２５】
続いて、瞳孔距離、フレーム角度および選び出されたレンズのフロントカーブに基づいてメガネフレームに伴って変化するレンズの角度を測定する。レンズの角度が判明すると軸度の補正を進めることが可能である。
【００２６】
覆面式弧状角度に伴って変化する球面度数および円柱度数は測量され、円柱に必要な角度、球面角度および円柱度数は補正されるため、患者は処方箋の指示と同じ球面度数および円柱度数を感知することが可能である。瞳孔距離ＰＤも補正されるため、光学中心と患者の瞳孔の位置とを一致させることが可能である。あらゆる計算結果に基づいて実際のレンズの視力矯正を算出することが可能である。
【００２７】
続いて、レンズ処方のデータに基づいて処方レンズ上の視覚区域に位置するレンズの最大厚さを計算する。この計算ステップは、Advanced Lens Technologies, LLC社から研究開発されたレンズの設計ソフトウェアによって進行する。このソフトウェアはもっぱら患者の処方箋およびメガネフレームのデータを処理することが可能である。患者に合う専用レンズを製造するために、レンズの雛形を使用する。一実施形態において、光学区域(optical zone)、過渡区域(transition zone)および外側区域(outer zone)を設定する前に、レンズの縁部の厚さは、補正された後の処方レンズの後表面および視覚区域の厚さによって決められる。
【００２８】
本発明の長所の一つは、処方箋の総合数値または個別数値によって理想のレンズの最大厚さを測定することである。例えば、球面が−４．００、円柱が−０．７５、軸度が８０度のレンズの場合、最大厚さは下記の数式によって計算される。
レンズの最大厚さ＝球面度数／レンズの最大厚さ＝（球面度数＋円柱度数）
【００２９】
光学区域の直径またはほかの所定の形によって光学区域を選択し、かつ凹レンズに用いることが可能である。選び出された光学区域の縁部の最大厚さを計算する際、まずレンズの厚さを球面度数＋円柱度数＝レンズの最大厚さ５ｍｍに設定し、続いて光学区域の最大サイズを計算する。
【００３０】
光学区域の最大サイズが判明すると、過渡区域および外側区域のサイズを計算することが可能である。過渡区域は５ｍｍに設定することが可能である。または厚さが異なるレンズおよび理想の外観によって過渡区域のサイズを変更することも可能である。
【００３１】
図８（ａ）は本発明の一実施形態による処方レンズ８１０の包囲角度(wrap angle)が２２度であることが判明した状態を示す図である。図８（ｂ）は従来の凹レンズ８２０を示す図である。処方レンズ８１０および従来のレンズ８２０を比べてみると、処方レンズ８１０の縁部の厚さは従来の凹レンズ８２０の縁部の厚さよりも明らかに小さいことがわかる。
【００３２】
算出された視覚区域に位置するレンズの最大厚さ、レンズ処方のデータおよびメガネフレームのデータに基づいて図３（ａ）に示したレンズの雛形２０１を選び出す。
選び出されたレンズを加工することによって視覚区域２１１を囲む過渡区域２１３および過渡区域２１３を囲む縁部２１５を有する処方レンズ２００を製造し、かつ縁部２１５の厚さＴｅを視覚区域２１１に位置するレンズの最大厚さＴｏより薄化させる。
【００３３】
選び出されたレンズは既製品レンズまたは半製品レンズである。図３（ａ）に示すように、選び出されたレンズが既製品レンズである場合、既製品レンズの縁部２１７に射出、鋳造および切削加工を行なうことによって縁部の厚さを一定にし、かつ視覚区域に位置するレンズの最大厚さより薄化させる。本発明により、混合区域(blend zone)および外側区域(outer zone)を有する既製品レンズについて、該既製品レンズに用いる背面の型は既製品レンズに用いる従来の背面の型とは異なる。本発明による製造方法は、近眼度数および遠視度数がより大きいだけでなく光学区域、混合区域および外側区域を有するレンズを製造することが可能である。射出または鋳造によってレンズを製造する際に使用される従来の背面の型は、混合区域または別の区域を生成できず、処方度数のみを有するように成形される。
【００３４】
選び出されたレンズが半製品レンズである場合、半製品レンズの所定区域を切削することによって視覚区域を生成し、かつ半製品レンズの縁部を切削することによって縁部の厚さを一定にし、そして視覚区域に位置するレンズの最大厚さより薄化させる。
【００３５】
球面状前表面によって処方サングラス用レンズを製造する方法は、サングラスのメガネフレームに最適のレンズを製造することが可能であるが、本発明はサングラス用レンズに限らず、フロントベースカーブおよびフレームカーブを採用する処方レンズに適用することが可能である。数が限られた処方箋は、適切なフロントベースカーブおよびそれに対応するフレームカーブを指示するのに対し、従来の処方レンズの製造方法は、サングラスのメガネフレームの斜度または包囲曲率の処方箋を補正することができない。本発明は既製品単焦点レンズを含む。
【００３６】
本発明は、外観に有利であるだけでなく光学矯正の正確度を向上させることが可能であるため、処方レンズの最良の外観および矯正の正確度を統合するものである。前方から見る際、本発明は、処方レンズが分からないように見えるため、メガネフレームに取り付けられる処方サングラス用レンズに極めて有利に適用可能である。後方から見る際、従来の方法によって製造された多くの処方レンズと比べて、本発明によって製造されたレンズは明らかに薄いことがわかる。
【００３７】
処方箋に基づいてサングラスを製造する場合、処方箋を取得すると、球面レンズのフロントカーブ(front spherical curve lens)にアドバイスをすることが可能である。そののち製造に必要な処方の計算が確定されると、レンズの製造を開始できる。近眼処方レンズの度数が大きければ大きいほど、比較的平坦なフロントベースカーブのほうが好ましい。
【００３８】
例えば、球面度数処方は−４．００であるのに対し、フロントベースカーブは２．００から４．００の間に設定されることが一般的である。フロントベースカーブを２．００に設定し、−４．００の処方レンズを製造する場合、後表面のカーブは６．００でなければならない。フロントベースカーブを４．００に設定し、−４．００の処方レンズを製造する場合、後表面のカーブは−８．００でなければならない。この二種類のレンズは切削によってメガネフレームに対応させることが可能である。殆どのサングラスのメガネフレームはフロントベースカーブが６のレンズまたはフロントベースカーブが８のレンズを使用するように設計される。（フロントベースカーブが９のレンズを使用するように設計されたメガネフレームは僅かである。）フロントカーブが６または８のメガネフレームにフロントベースカーブが６または８でないレンズを取り付ける場合、レンズ上の一部分の処方レンズは球面状前表面のカーブに正確に対応しないため、処方レンズ上に形成された傾斜によってフロントベースカーブが互いに対応しないメガネフレームとレンズとを結合させることとなる。
【００３９】
それに対し、本発明はフレームカーブに完全に対応可能な処方レンズの製造方法を提供する。この目的を達成し、患者の視力をより確実に矯正できる処方レンズの製造方法を開発するために、未だ考慮されていないサングラスの処方レンズの製造に用いるデータを加える必要がある。
【００４０】
少数の光学専門技術者は処方箋を変更し、メガネフレームの枠装（frame wrap）および広角上の斜度を参考にすることによって処方レンズを製造する。この方法によって製造された処方レンズを介して見える風景は、顔に合わせて製造された従来の処方レンズを介して見える風景と同じである。それに対し、本発明は枠装および斜度を変更する条件下で提供した特徴は、サングラス用レンズの製造方法を使用し、レンズ処方箋によって掛ける所を正常な視力に調整し、フロントベースカーブとメガネフレームとを互いに対応させることである。
【００４１】
本発明は、前方から見る際、まるで非処方レンズとは全然変わらないように見えるレンズを製造する。レンズの光学も本発明によって調整されるため、使用の際、メガネフレームに対応可能である。かつ適切な作用は従来のフロントベースカーブ処方箋に限らず、本発明によるレンズによって生成することが可能である。
【００４２】
本発明は、実際のメガネフレームの形を考慮せず、フレーム角度および斜度に基づいて開発した処方レンズを提供するため、近眼度数および遠視度数に基づいて美観を呈するレンズを適切に製造することが可能である。この処方レンズの視覚区域はメガネフレーム上のあらゆる部分まで拡張されない。風景が明確に見え、かつメガネフレームに対応できるレンズを製造するために、レンズに対応できるレンズ区域を生成し、処方レンズをできる限り薄化させ、かつ指定された視力範囲に適させる必要がある。
【００４３】
光学中心および幾何学的中心は、必ずしもレンズの中間に位置するとは限らない。幾何学的中心が円形レンズの中心であれば、光学中心が幾何学的中心から４ｍｍから１０ｍｍ離れるところに位置するため、レンズはメガネフレームに被さり、光学中心を患者の目の前方に位置させることが可能である。
【００４４】
レンズを最大限に薄化させる計算が本発明の特徴の一つである。最大限に薄化したレンズは処方箋に基づいて光学矯正されたレンズより優れる。最良のレンズを計算するために、まず患者の処方箋データを取得する。同時にメガネフレームのデータも必要である。またメガネフレームの輪郭またはメガネフレームの形の情報を知る方法も必要である。処方箋に基づいて厚さの異なる目標レンズを製造する。例えば、球面度数が−５．００、メガネフレームのベースカーブが８のデータに基づいて製造されたレンズは、縁部が比較的厚い。レンズのデータと、メガネフレームの角度および斜度を有するメガネフレームのデータとを最適化させるとソフトウェアによって処方箋を計算することが可能である。理想のレンズの最大厚さが４．５ｍｍであれば、ソフトウェアにより書き出された視覚区域上のレンズの最大厚さが４．５ｍｍであるため、厚さが４．５ｍｍ以上の区域は非光学矯正区域となる。かつ厚さが４．５ｍｍ以上の区域は、メガネフレームのみに合わせる必要がある際の別の材料として使用される。従って、本発明は良好な視覚区域を生成することが可能なだけでなく、非処方レンズのように見える美観を呈することが可能である。
【００４５】
以上、本発明は、上記実施形態になんら限定されるものではなく、発明の趣旨を逸脱しない範囲において種々の形態で実施可能である。
【符号の説明】
【００４６】
１１０・・・レンズ
１１２・・・幾何学的中心
１１４・・・光学中心
１２０・・・レンズ
１２２・・・幾何学的中心
１２４・・・光学中心
２００・・・処方レンズ
２０１・・・レンズの雛形
２１０・・・透視体
２１１・・・視覚区域
２１２・・・幾何学的中心
２１３・・・過渡区域
２１４・・・光学中心
２１５・・・縁部
２１６・・・球面状前表面
２１７・・・幾何学的中心
２１８・・・後表面
４００・・・処方レンズ
４１２・・・幾何学的中心
４１４・・・光学中心
５００・・・処方レンズ
５１２・・・幾何学的中心
５１４・・・光学中心
６００・・・処方レンズ
７００・・・処方レンズ
８１０・・・処方レンズ
８２０・・・従来の凹レンズ
９００・・・凹レンズ
９１０・・・表面
９２０・・・縁部
ＤＢＬ・・・レンズ間の距離
Ｈ    ・・・高さ
ＯＣＨ・・・光学中心の高さ
ＰＤ  ・・・瞳孔距離
Ｔｅ  ・・・厚さ
Ｔｏ  ・・・最大厚さ
Ｗ    ・・・幅
【図１】
2010271702.tif 000003
【図２】
2010271702.tif 000004
【図３】
2010271702.tif 000005
【図４】
2010271702.tif 000006
【図５】
2010271702.tif 000007
【図６】
2010271702.tif 000008
【図７】
2010271702.tif 000009
【図８】
2010271702.tif 000010
【図９】
2010271702.tif 000011